(57)【要約】【課題】コンロの加熱部における加熱正規位置を利用者に示すことができ、利用者が調理容器を加熱部上の適切な位置に配置することができるようになる調理支援システムを提供する。【解決手段】調理容器が載置される加熱部４を有したコンロと、前記加熱部４に向けて上方から指向性を有する光Ｌ１を照射する光照射手段２０とを備え、前記光照射手段２０から照射する光Ｌ１は、前記加熱部４における加熱正規位置を示す光Ｌ１である。【選択図】図２
2020056526.tif 000002
【特許請求の範囲】
【請求項１】
調理容器が載置される加熱部を有したコンロと、
前記加熱部に向けて上方から指向性を有する光を照射する光照射手段とを備え、
前記光照射手段から照射する光は、前記加熱部における加熱正規位置を示す光である調理支援システム。
【請求項２】
前記加熱正規位置は、前記加熱部の中心位置である請求項１に記載の調理支援システム。
【請求項３】
前記光照射手段は、前記加熱部に真上から光を照射するように配設されている請求項１又は２に記載の調理支援システム。
【請求項４】
前記コンロの上方に配設されたレンジフードを更に備え、
前記レンジフードは、前記コンロと対向する位置に整流板を有しており、
前記光照射手段は、前記整流板に配設されている請求項１〜３のいずれか一項に記載の調理支援システム。
【請求項５】
前記光照射手段は、当該光照射手段から照射された光を反射する反射手段を介して、前記加熱部に光を照射する請求項１〜３のいずれか一項に記載の調理支援システム。
【請求項６】
前記コンロの上方に配設されたレンジフードを更に備え、
前記レンジフードは、前記コンロと対向する位置に整流板を有しており、
前記反射手段は、前記整流板に配設されている請求項５に記載の調理支援システム。
【請求項７】
前記光照射手段は、前記レンジフードに配設されている請求項６に記載の調理支援システム。
【請求項８】
前記光照射手段は、前記コンロに配設されている請求項５又は６に記載の調理支援システム。
【請求項９】
前記加熱部は、ガスバーナである請求項１〜８のいずれか一項に記載の調理支援システム。
【発明の詳細な説明】
【技術分野】
【０００１】
調理容器が載置される加熱部を有したコンロや、加熱部に向けて上方から指向性を有する光を照射する光照射手段などを備えた調理支援システムに関する。
【背景技術】
【０００２】
この種の調理支援システムにおいては、例えば、加熱部（ガスバーナ等）上に調理容器を配置して調理を行う際に、加熱部の所定の位置に対して調理容器の位置がずれていると、調理容器の加熱が不均一になるため、熱効率が悪く、また、焼きムラも生じ易くなる。
【０００３】
また、調理容器の位置ズレが生じていると、調理容器の取っ手部がコンロ上から水平方向に向けて通路等に突出した状態になる可能性が高く、利用者が衣服の一部を取っ手部に引っ掛けてしまい易くなる虞がある。そのため、衣服の一部が取っ手部に引っ掛かって調理容器が傾き、調理容器内の高温の内容物が飛散したり、調理容器がコンロ上から脱落したりして、利用者の火傷等といった重大な問題が引き起こされかねない。
【０００４】
そこで、従来、調理容器が加熱部の所定の位置に配置されていないことを利用者に報知し、調理容器の位置調整が必要であることを利用者に認識させる技術として、例えば、特許文献１に開示されたレンジフードが提案されている。このレンジフードは、レンジフードの下方に配設された加熱調理器の天板上の全領域が撮像範囲に入るように画角が調整されたカメラが設けられており、カメラによって撮像された画像データはレンジフード制御部に入力されるように構成されている。そして、このレンジフードにおいては、加熱調理器の画像を基に、加熱調理器に配設された五徳の中心位置と、調理容器の重心位置との偏差を算出し、この算出した偏差が予め設定した閾値以上か否かを判定することで、調理容器の位置が五徳の位置に対して偏っていないか否かを判定し、調理容器の位置が偏っている場合にはその旨を報知するメッセージを適宜表示部に表示させるとともに、適宜音発生部によって所定の音を発生させる。
【０００５】
したがって、上記特許文献１記載のレンジフードによれば、表示部に表示されるメッセージや音発生部から発せられる音によって、調理容器が加熱調理器上の適切な位置に配置されていないことを利用者が知ることができる。
【先行技術文献】
【特許文献】
【０００６】
【特許文献１】特開２０１７−０４０４３０号公報
【発明の概要】
【発明が解決しようとする課題】
【０００７】
上記特許文献１記載のレンジフードは、調理容器が適切な位置に配置されていないことを利用者に報知することができ、調理容器の位置の調整が必要であることを認識した利用者が調理容器の位置を調整することができる。しかしながら、利用者が調理容器の位置を適切な位置に調整する際に、調理容器の適切な配置位置をガイドするような機能は備えていない。
【０００８】
そのため、利用者は、位置の調整を自身の感覚に頼って行わなければならず、調理容器を適切な位置に調整することが難しい。また、利用者が調理容器を適切な位置に配置したと判断しても、実際には適切な位置からずれた位置に調理容器が配置された状態となる場合があるため、位置調整を行ったにもかかわらず、調理容器の位置が五徳の位置に対して偏っていると判定され、利用者が位置の調整を再度行わなければならなくなり、調理容器を適切な位置に配置するために煩雑な作業が必要になる。
【０００９】
本発明は以上の実情に鑑みなされたものであり、コンロの加熱部における加熱正規位置を利用者に示すことができ、利用者が調理容器を加熱部上の適切な位置に配置することができるようになる調理支援システムの提供を、その目的とする。
【課題を解決するための手段】
【００１０】
上記目的を達成するための本発明に係る調理支援システムの特徴構成は、
調理容器が載置される加熱部を有したコンロと、
前記加熱部に向けて上方から指向性を有する光を照射する光照射手段とを備え、
前記光照射手段から照射する光は、前記加熱部における加熱正規位置を示す光である点にある。
【００１１】
上記特徴構成では、加熱正規位置を示す光が加熱部の上方から光照射手段によって照射される。例えば、コンロの天板などに加熱正規位置を示す光を発する機構などを設けた場合には、加熱部上に調理容器を配置すると加熱正規位置を示す光が調理容器によって遮られることになるため、利用者は、加熱正規位置を示す光を基に調理容器を適切な位置に調整することができない。これに対して、本願発明においては、加熱正規位置を示す光が加熱部の上方から照射されるため、調理容器を加熱部上に配置した際に、加熱正規位置を示す光が調理容器の表面や外縁部、調理容器の周囲のコンロ上面に照射された状態となる。そのため、調理容器表面やコンロ上面に、照射された加熱正規位置を示す光によって、他の部分よりも輝度の高い部分が現れ、この現れた輝度の高い部分を基に、利用者は調理容器を加熱部上の適切な位置に容易に配置することができ、調理容器を適切な位置に配置するために煩雑な作業が必要となることもない。
【００１２】
尚、本願における「加熱正規位置」とは、加熱部上に載置される調理容器を適切に加熱するために調理容器の重心位置を一致させるべき位置である。また、「調理容器の重心位置」とは、調理容器本体の重心位置をいい、例えば、調理容器が調理容器本体に取っ手部等が取り付けられた構成である場合には、取っ手部等を除いた調理容器本体の重心位置をいう。
【００１３】
ここで、加熱部上に載置された調理容器を加熱する際、調理容器の重心位置と加熱部の中心位置とが近いほど、調理容器を均一に加熱することができるようになるため、加熱正規位置は、加熱部の中心位置近傍であることが好ましく、加熱部の中心位置であることがより好ましい。
【００１４】
即ち、本発明に係る調理支援システムの更なる特徴構成は、前記加熱正規位置は、前記加熱部の中心位置である点にある。
【００１５】
上記特徴構成によれば、加熱正規位置たる加熱部の中心位置を示す光が加熱部の上方から照射される。したがって、調理容器を加熱部上に配置する際に、調理容器の表面や調理容器の周囲のコンロ上面に照射された光によって現れる輝度の高い部分を基にして、調理容器の重心位置と加熱部の中心位置とを一致させるように調理容器の位置を調整することが可能となる。
【００１６】
また、本発明に係る調理支援システムの更なる特徴構成は、前記光照射手段は、前記加熱部に真上から光を照射するように配設されている点にある。
【００１７】
加熱部に対して斜め上方から加熱正規位置を示す光が照射される場合、調理容器が寸胴などの底の深い容器であると、照射された光が調理容器の周壁に遮られて、調理容器の底や調理容器の周囲のコンロ上面に、加熱正規位置を示す光が照射されなくなる。
【００１８】
しかしながら、上記特徴構成によれば、加熱部に真上から光を照射するように光照射手段が配設されているため、調理容器の形状にかかわらず、調理容器の底やコンロ上面に加熱正規位置を示す光を照射することが可能となる。
【００１９】
更に、本発明に係る調理支援システムの更なる特徴構成は、前記コンロの上方に配設されたレンジフードを更に備え、前記レンジフードは、前記コンロと対向する位置に整流板を有しており、前記光照射手段は、前記整流板に配設されている点にある。
【００２０】
上記特徴構成では、コンロと対向する位置に設けられた整流板に光照射手段が配設されているため、調理容器が底の深い容器であっても、光照射手段から照射された光が調理容器の周壁に遮られ難く、加熱正規位置を示す光が調理容器の底やコンロ上面に照射することが可能となる。
【００２１】
また、本発明に係る調理支援システムの更なる特徴構成は、前記光照射手段は、当該光照射手段から照射された光を反射する反射手段を介して、前記加熱部に光を照射する点にある。
【００２２】
上記特徴構成では、光照射手段から照射された光を反射手段が反射して、その反射された光が加熱部に照射される、即ち、反射手段を介して光照射手段が加熱部に光を照射するため、調理容器を加熱部上に配置した際に、加熱正規位置を示す光が調理容器の表面や外縁部、調理容器の周囲のコンロ上面に照射された状態となる。したがって、上記と同様に、調理容器表面やコンロ上面に、照射された加熱正規位置を示す光によって、他の部分よりも輝度の高い部分が現れ、この現れた輝度の高い部分を基に、利用者は調理容器を加熱部上の適切な位置に容易に配置することができ、調理容器を適切な位置に配置するために煩雑な作業が必要となることもない。
【００２３】
上記特徴構成において、コンロの上方にレンジフードに配設されている場合、光照射手段をレンジフードに配設すれば、当該レンジフードに配設された光照射手段から反射手段に向けて光を照射し、照射された光が反射手段で反射することで、反射手段を介して光照射手段が光を加熱部に照射することができる。尚、レンジフードが整流板を有している場合、例えば、反射手段は整流板に配設することもできる。また、光照射手段をコンロに配設すれば、当該コンロに配設された光照射手段から反射手段に向けて光を照射し、照射された光が反射手段で反射することで、反射手段を介して光照射手段が光を加熱部に照射することができる。
【００２４】
即ち、本発明に係る調理支援システムの更なる特徴構成は、前記コンロの上方に配設されたレンジフードを更に備え、
前記レンジフードは、前記コンロと対向する位置に整流板を有しており、
前記反射手段は、前記整流板に配設されている点にある。
【００２５】
また、本発明に係る調理支援システムの更なる特徴構成は、前記光照射手段は、前記レンジフードに配設されている点にある。
【００２６】
また、本発明に係る調理支援システムの更なる特徴構成は、前記光照射手段は、前記コンロに配設されている点にある。
【００２７】
更に、本発明に係る調理支援システムの更なる特徴構成は、前記加熱部は、ガスバーナである点にある。
【００２８】
コンロの加熱部がガスバーナであり、バーナ本体部に周方向に沿って複数の炎孔が形成され、この炎孔から噴射された混合気を燃焼して調理容器を加熱するように構成されていると、加熱部の中心位置（ガスバーナの中心位置）と調理容器の重心位置とのズレに起因して調理容器の加熱が不均一になり易い。したがって、加熱正規位置を示す光を光照射手段から照射し、加熱正規位置を示す光が調理容器の表面や調理容器の周囲のコンロ上面に照射された状態として、利用者が調理容器の位置を調整できるようにすることは、加熱部がガスバーナである場合に特に重要である。
【図面の簡単な説明】
【００２９】
【図１】第１実施形態に係る調理支援システムの概略構成を示した斜視図である。
【図２】第１実施形態に係る調理支援システムを示した正面図である。
【図３】第１実施形態に係る調理支援システムのレンジフードを示した底面図である。
【図４】第１実施形態に係る調理支援システムのガスコンロを示した平面図である。
【図５】第１実施形態に係る調理支援システムにおいて、調理容器を所定の位置に配置する過程を説明するための図である。
【図６】第２実施形態に係る調理支援システムを示した正面図である。
【図７】第３実施形態に係る調理支援システムを示した正面図である。
【図８】第３実施形態に係る調理支援システムのガスコンロを示した平面図である。
【図９】第３実施形態に係る調理支援システムにおいて、調理容器を所定の位置に配置する過程を説明するための図である。
【図１０】第４実施形態に係る調理支援システムを示した側面図である。
【図１１】第５実施形態に係る調理支援システムを示した斜視図である。
【図１２】第６実施形態に係る調理支援システムを示した側面図である。
【発明を実施するための形態】
【００３０】
〔第１実施形態〕
以下、図面を参照して第１実施形態に係る調理支援システムについて説明する。尚、本実施形態では、コンロの一つの態様として、コンロがガスコンロＧＣである場合を例示して説明する。
【００３１】
図１〜図４に示すように、第１実施形態に係る調理支援システムは、調理容器Ｔが上方に配置されるガスバーナ（加熱部）４を有したガスコンロＧＣと、ガスコンロＧＣの上方に配設されたレンジフード１０と、ガスバーナ４に向けて光を照射するＬＥＤ照射装置（光照射手段）２０とを備えている。
【００３２】
ガスコンロＧＣは、コンロ本体２と、コンロ本体２の上面を形成し、耐熱性の素材（耐熱ガラスやセラミックなど）からなるトッププレート３とを備えている。
【００３３】
トッププレート３は、その上面に、ガスを燃料とした２つのガスバーナ４が設けられている。また、各ガスバーナ４には、調理容器Ｔの被加熱部を載置するための五徳５が設けられており、各ガスバーナ４の点火、消火及び火力調節等は、コンロ本体２の前面右側に設けられたバーナ操作部６を押し操作及び回転操作等することにより行うことができるようになっている。尚、ガスバーナ４の点火及び消火を行うための操作が行われた場合、点火操作があったことを知らせる信号（バーナ点火信号）又は消火操作があったことを知らせる信号（バーナ消火信号）が無線通信によりＬＥＤ照射装置２０に送信される。
【００３４】
コンロ本体２は、左右方向中央部にグリルＧを備え、コンロ本体２の前面側にはグリル扉７が形成されている。グリルＧでの加熱の開始、終了、加熱温度の調整及び加熱時間の調整等は、コンロ本体２の前面左側に設けられたグリル操作部８を操作することにより行うことができるようになっている。尚、グリルＧでの被調理物の調理に伴う排気等は、トッププレート３の上面後部に設けられた排気口９から排気される。
【００３５】
レンジフード１０は、ガスコンロＧＣの上方に設けられており、箱状のハウジング１１や、このハウジング１１の下部且つガスコンロＧＣと対向する位置に設けられた平面視略四角形状の整流板１２、ハウジング１１の上部に設けられた排気部１３、ハウジング１１に設けられ、ガスコンロＧＣを照明する照明ランプ（照明手段）１４などを備えている。
【００３６】
ハウジング１１は、その下部に開口を有しており、この下部の開口に対応する位置に、ハウジング１１の下面周縁部との間に吸気部１１ａとなる隙間を空けた状態で整流板１２が配置され、整流板１２とハウジング１１とにより、排気部１３と連通する内部空間が形成されている。
【００３７】
排気部１３は、図示しない送風機などを備えている。排気部１３によれば、送風機を作動させることにより、ガスコンロＧＣでの調理で発生した煙や湯気、臭気等の排気が吸気部１１ａから吸い込まれて内部空間に取り込まれ、内部空間に取り込まれた排気が外部に排出される。
【００３８】
照明ランプ１４は、ハウジング１１の下面前後側の周縁部に埋め込まれている。排気部１３における送風機の作動や、照明ランプ１４の点灯、消灯等は、ハウジング１１の前面に設けられたレンジフード操作部１５を操作することにより行うことができるようになっている。尚、少なくとも照明ランプ１４の点灯及び消灯を行うための操作が行われた場合、点灯操作があったことを知らせる信号（照明点灯信号）又は消灯操作があったことを知らせる信号（照明消灯信号）が無線通信によりＬＥＤ照射装置２０に送信される。
【００３９】
ＬＥＤ照射装置２０は、例えば、直方体形状の筐体内にＬＥＤ光源やバッテリ、無線受信機などが収納された形態で構成され、指向性の強いＬＥＤ光Ｌ１を照射することができる装置である。このＬＥＤ照射装置２０は、ガスバーナ４の加熱正規位置を示す光を照射するように構成されるものであり、本実施形態においては、図２〜図４に示すように、加熱正規位置たるガスバーナ４の中心位置にＬＥＤ光Ｌ１が照射されるように、整流板１２下面における、ガスバーナ４の中心位置の真上に位置する箇所に取付部材（マグネットや粘着テープなど）２１によって着脱自在に取り付けられている。また、本実施形態において、ＬＥＤ照射装置２０から照射される光の照射形状は点型であり、ガスバーナ４の中心位置には、他の部分よりも輝度の高い点が現れるようになっている。
【００４０】
また、本実施形態において、ＬＥＤ照射装置２０は、バーナ点火信号又は照明点灯信号を受信したときにＬＥＤ光Ｌ１の照射を開始し、バーナ消火信号又は照明消灯信号を受信したときにＬＥＤ光Ｌ１の照射を停止するように構成されている。即ち、ＬＥＤ照射装置２０は、ガスバーナ４の点火及び消火、並びに照明ランプ１４の点灯及び消灯と連動して、ＬＥＤ光Ｌ１の照射の開始及び停止を行うようになっており、ＬＥＤ光の照射のオンオフを切り替えるスイッチ等をＬＥＤ照射装置２０に設けることなく、ＬＥＤ光Ｌ１の照射を開始及び停止することができるようになっている。したがって、利用者が調理を開始するためにガスバーナ４を点火したり、照明ランプ１４を点灯させたりするだけで、即座に調理容器Ｔの位置を調整することが可能となり、また、調理後にガスバーナ４を消火したり、照明ランプ１４を消灯させるだけで、ＬＥＤ光Ｌ１の照射が停止するため消し忘れることもない。
【００４１】
以上の構成を備えた調理支援システムによれば、例えば、利用者が調理容器Ｔを五徳５上に載せていない状態から調理容器Ｔを適切な位置に配置する場合、利用者がレンジフード操作部１５を操作して照明ランプ１４を点灯させると、照明点灯信号がＬＥＤ照射装置２０に送信される。これにより、照明点灯信号を受信したＬＥＤ照射装置２０がＬＥＤ光Ｌ１の照射を開始し、ガスバーナ４の中心位置にＬＥＤ光Ｌ１が照射され、ガスバーナ４の中心位置に他の部分よりも輝度の高い部分（図４中の黒丸）が現れた状態となる。
【００４２】
そして、図５に示すように、利用者が調理容器Ｔ（本例ではフライパン）を五徳５上に配置する際に、ガスバーナ４の中心位置を示すＬＥＤ光Ｌ１が調理容器Ｔの表面に照射され、ガスバーナ４の中心位置を示す輝度の高い部分（図５中の黒丸）が調理容器Ｔの表面に現れることになる。したがって、利用者は、調理容器Ｔ表面に現れる輝度の高い部分を基に、調理容器Ｔをその重心位置Ｔｇがガスバーナ４の中心位置と一致するように容易に位置を調整して五徳５上に配置することができ、また、利用者が調理容器Ｔを動かしながら調理を行うような場合であっても、調理容器Ｔ表面に現れる輝度の高い部分を基に調理容器Ｔの位置を適宜修正しながら調理を行うことができる。
【００４３】
以上のように、第１実施形態に係る調理支援システムでは、加熱正規位置たるガスバーナ４の中心位置にガスバーナ４の上方からＬＥＤ光Ｌ１を照射することができる。これにより、調理容器Ｔがガスバーナ４上に位置していると、ガスバーナ４の中心位置を示す輝度の高い部分が調理容器Ｔ表面に現れる。したがって、利用者は、この輝度の高い部分を基に、調理容器Ｔを適切な位置、即ち、調理容器Ｔを重心位置Ｔｇがガスバーナ４の中心位置と一致する位置に容易に配置することができる。
【００４４】
〔第２実施形態〕
第２実施形態に係る調理支援システムは、ＬＥＤ照射装置の構造及び取付箇所が上記第１実施形態と異なっている。以下、第２実施形態の調理支援システムについて説明するが、上記第１実施形態と同様の構成については説明を省略する。
【００４５】
図６に示すように、第２実施形態の調理支援システムにおけるＬＥＤ照射装置３０は、筐体内にＬＥＤ光源やバッテリ、無線受信機などが収納された形態で構成された本体部３１と、本体部３１を揺動自在に支持するベース部３２とを有している。本実施形態において、ＬＥＤ照射装置３０は、調理支援システムが設置された箇所の近傍に位置する家屋の内壁Ｋに、ベース部３２が取付部材３３によって着脱自在に取り付けられている。
【００４６】
この調理支援システムによれば、ＬＥＤ照射装置３０の本体部３１をベース部３２に対して揺動させて本体部３１の首振り角度を適宜調節しておくことで（図６参照）、ガスバーナ４の上方から当該ガスバーナ４の中心位置にＬＥＤ光Ｌ２を照射することができる。
【００４７】
このように、第２実施形態に係る調理支援システムでは、加熱正規位置たるガスバーナ４の中心位置にガスバーナ４の上方からＬＥＤ光Ｌ１を照射することができる。これにより、調理容器Ｔがガスバーナ４上に位置していると、ガスバーナ４の中心位置を示す輝度の高い部分が調理容器Ｔ表面に現れるため、利用者は、この輝度の高い部分を基に調理容器Ｔを適切な位置に容易に配置することができる。
【００４８】
〔第３実施形態〕
第３実施形態に係る調理支援システムは、ＬＥＤ照射装置から照射される光の形状が上記第１実施形態と異なっている。以下、第３実施形態の調理支援システムについて説明するが、上記第１実施形態と同様の構成については説明を省略する。
【００４９】
第３実施形態の調理支援システムにおけるＬＥＤ照射装置３５は、第１実施形態におけるＬＥＤ照射装置２０と同様に、筐体内にＬＥＤ光源やバッテリ、無線受信機などが収容された形態で構成され、指向性の強いＬＥＤ光Ｌ３を照射することができる装置である。このＬＥＤ照射装置３５は、ガスバーナ４の加熱正規位置を示す光を照射するように構成されるものであり、本実施形態においては、図７及び図８に示すように、加熱正規位置たるガスバーナ４の中心位置を中心とする円環状のＬＥＤ光Ｌ３がトッププレート３上面に照射されるように、整流板１２下面における、ガスバーナ４の中心位置の真上に位置する箇所に取付部材３６によって着脱自在に取り付けられている。尚、本実施形態おいて、ＬＥＤ照射装置３５から照射される光によって、トッププレート３上面には、他の部分よりも輝度が高く、環径が調理容器Ｔの直径と略同じ円環が現れるようになっている。
【００５０】
本実施形態に係る調理支援システムによれば、ＬＥＤ照射装置３５がＬＥＤ光Ｌ３の照射を開始すると、ガスバーナ４の中心位置を中心とする環状のＬＥＤ光Ｌ３がトッププレート３上面に照射され、ＬＥＤ光Ｌ３が照射された部分が他の部分よりも輝度の高い部分（図８中の一点鎖線で示した円環）が現れた状態となる。
【００５１】
したがって、図９に示すように、利用者が調理容器Ｔを五徳５上に配置する際に、輝度の高い円環が調理容器Ｔの外縁部と略一致するように、調理容器Ｔの位置を調整することにより、利用者は、調理容器Ｔを重心位置Ｔｇがガスバーナ４の中心位置と一致する位置に容易に配置することができる。
【００５２】
〔第４実施形態〕
第４実施形態に係る調理支援システムは、光照射手段から照射される光を反射する反射手段としての反射部材を備え、反射部材を介してガスバーナの加熱正規位置を示す光が照射される点で上記各実施形態と異なっている。以下、第４実施形態の調理支援システムについて説明するが、上記各実施形態と同様の構成については説明を省略する。
【００５３】
図１０に示すように、第４実施形態の調理支援システムにおいては、整流板１２下面における、ガスバーナ４の中心位置の真上に位置する箇所に反射部材４０が取り付けられている。この反射部材４０は、ミラー部４１と、当該ミラー部４１を揺動自在に支持するベース部４２とを有しており、本実施形態においては、ベース部４２が取付部材４３によって着脱自在に整流板１２に取り付けられている。また、この調理支援システムにおいては、光照射手段としてのＬＥＤ照射部４５が、反射部材４０とほぼ同じ高さ位置となるようにハウジング１１の前方側内壁に内蔵されている。ＬＥＤ照射部４５には、ＬＥＤ照射装置２０，３０，３５と同様に、バーナ点火信号、バーナ消火信号、照明点灯信号、照明消灯信号が無線送信される。
【００５４】
この調理支援システムによれば、反射部材４０のミラー部４１をベース部４２に対して揺動させてミラー部４１の首振り角度を適宜調整することで（図１０参照）、ＬＥＤ照射部４５から照射されたＬＥＤ光Ｌ４を反射部材４０のミラー部４１によってガスバーナ４に向けて反射させることができ、ガスバーナ４の真上から当該ガスバーナ４の中心位置にＬＥＤ光Ｌ４を照射することができる。
【００５５】
このように、第４実施形態に係る調理支援システムでは、加熱正規位置たるガスバーナ４の中心位置にガスバーナ４の真上からＬＥＤ光Ｌ４を照射することができる。これにより、調理容器Ｔがガスバーナ４上に位置していると、ガスバーナ４の中心位置を示す輝度の高い部分が調理容器Ｔ表面に現れるため、利用者は、この輝度の高い部分を基に調理容器Ｔを適切な位置に容易に配置することができる。
【００５６】
また、ＬＥＤ照射手段をガスバーナ４の真上に配置する場合、ＬＥＤ照射手段が調理時に高温に曝されることになるため、樹脂等の可燃性材料の使用を避け、非可燃性材料を使用しなければならないという制約が生じ、また、調理時に発生した油等に曝され易く、油等によってＬＥＤ照射手段の内部が汚れると、分解しての掃除が必要となるなどメンテナンスの負担も大きくなる。これに対して、本実施形態の調理支援システムでは、ＬＥＤ照射部４５を比較的高温に曝され難い箇所（即ち、ハウジング１１の前方側内壁）に配置した状態となり、ガスバーナ４の真上には、非可燃性材料のみで容易に構築することが可能な反射部材４０を配置した状態となるため、ＬＥＤ照射部４５に可燃性材料を使用することができるようになり、また、ＬＥＤ照射部４５がガスバーナ４の真上に位置していないことで、当該ＬＥＤ照射部４５が調理時に発生した油等に曝され難くなって油等により汚れ難くなることでメンテナンスの負担も軽減される。
【００５７】
〔第５実施形態〕
第５実施形態に係る調理支援システムは、ＬＥＤ照射部が内蔵されている箇所が上記第４実施形態と異なっている。以下、第５実施形態の調理支援システムについて説明するが、上記各実施形態と同様の構成については説明を省略する。
【００５８】
図１１に示すように、第５実施形態の調理支援システムにおいては、上記第４実施形態の調理支援システムと同様に、整流板１２に反射部材４０が取り付けられている。当該調理支援システムにおいては、光照射手段としてのＬＥＤ照射部５０が、トッププレート３の後部に内蔵されており、当該ＬＥＤ照射部５０は、前方側斜め上方に向けて２方向にＬＥＤ光Ｌ５を照射するようになっている。尚、ＬＥＤ照射部５０には、ＬＥＤ照射装置２０，３０，３５と同様に、バーナ点火信号、バーナ消火信号、照明点灯信号、照明消灯信号が無線送信される。
【００５９】
この調理支援システムによれば、反射部材４０のミラー部（図示せず）をベース部（図示せず）に対して揺動させてミラー部の首振り角度を適宜調整することで（図１１参照）、ＬＥＤ照射部５０から照射されたＬＥＤ光Ｌ５を反射部材４０のミラー部によってガスバーナ４に向けて反射させることができ、ガスバーナ４の真上から当該ガスバーナ４の中心位置にＬＥＤ光Ｌ５を照射することができる。
【００６０】
このように、第５実施形態に係る調理支援システムでも、加熱正規位置たるガスバーナ４の中心位置にガスバーナ４の真上からＬＥＤ光Ｌ５を照射することができる。これにより、調理容器Ｔがガスバーナ４上に位置していると、ガスバーナ４の中心位置を示す輝度の高い部分が調理容器Ｔ表面に現れるため、利用者は、この輝度の高い部分を基に調理容器Ｔを適切な位置に容易に配置することができる。
【００６１】
また、本実施形態の調理支援システムでは、ＬＥＤ照射部５０を比較的高温に曝され難い箇所（即ち、トッププレート３の後部）に配置した状態となり、ガスバーナ４の真上には、非可燃性材料のみで容易に構築することが可能な反射部材４０を配置した状態となるため、ＬＥＤ照射部５０に可燃性材料を使用することができるようになる。更に、ＬＥＤ照射部５０が内蔵されるトッププレート３の後部は、ガスバーナ４の真上と比較して、調理時に発生する油等に曝され難いため、かかる位置に内蔵されたＬＥＤ照射部５０が汚れ難くなり、メンテナンスの負担も軽くなる。
【００６２】
〔第６実施形態〕
第６実施形態に係る調理支援システムは、レンジフードを備えておらず、家屋の内壁に取り付けられた換気扇によって排気が行われる点で上記各実施形態と異なっている。以下、第６実施形態の調理支援システムについて説明するが、上記各実施形態と同様の構成については説明を省略する。
【００６３】
図１２に示すように、第６実施形態の調理支援システムは、トッププレート３の上面後部に取り付けられたＬＥＤ照射装置５５を備えている。このＬＥＤ照射装置５５は、ＬＥＤ照射装置２０などと同様に、直方体形状の筐体内にＬＥＤ光源やバッテリ、無線受信機などが収納された形態で構成されており、前方側斜め上方に向けてＬＥＤ光Ｌ６を照射することができるように、適宜取付部材によってトッププレート３の上面後部に着脱自在に取り付けられている。尚、このＬＥＤ照射装置５５には、ＬＥＤ照射装置２０，３０，３５と同様に、バーナ点火信号、バーナ消火信号、照明点灯信号、照明消灯信号が無線送信される。
【００６４】
また、第６実施形態の調理支援システムにおいては、家屋の天井の、ガスバーナ４の中心位置の真上に位置する箇所に反射部材４０が取り付けられており、本実施形態においては、ベース部４２が取付部材４３によって着脱自在に天井に取り付けられている。
【００６５】
この調理支援システムによれば、反射部材４０のミラー４１をベース部４２に対して揺動させてミラー部４１の首振り角度を適宜調整することで（図１２参照）、ＬＥＤ照射装置５５から照射されたＬＥＤ光Ｌ６を反射部材４０のミラー部４１によってガスバーナ４に向けて反射させることができ、ガスバーナ４の真上から当該ガスバーナ４の中心位置にＬＥＤ光Ｌ６を照射することができる。
【００６６】
このように、第６実施形態に係る調理支援システムでも、加熱正規位置たるガスバーナ４の中心位置にガスバーナ４の真上からＬＥＤ光Ｌ６を照射することができる。これにより、調理容器Ｔがガスバーナ４上に位置していると、ガスバーナ４の中心位置を示す輝度の高い部分が調理容器Ｔ表面に現れるため、利用者は、この輝度の高い部分を基に調理容器Ｔを適切な位置に容易に配置することができる。
【００６７】
また、本実施形態の調理支援システムでは、ＬＥＤ照射装置５５を比較的高温に曝され難い箇所（即ち、トッププレート３の上面後部）に配置した状態となり、ガスバーナ４の真上には、非可燃性材料のみで容易に構築することが可能な反射部材４０を配置した状態となるため、ＬＥＤ照射装置５５に可燃性材料を使用することができるようになる。更に、ＬＥＤ照射装置５５が取り付けられるトッププレート３の上面後部は、ガスバーナ４の真上と比較して、調理時に発生する油等に曝され難いため、かかる位置に取り付けられたＬＥＤ照射装置５５が汚れ難くなり、メンテナンスの負担も軽くなる。
【００６８】
〔別実施形態〕
〔１〕上記第１、第２及び第４〜第６実施形態では、ＬＥＤ照射装置２０，３０，５５又はＬＥＤ照射部４５，５０から照射される光の照射形状を点型とし、ガスバーナ４の中心位置に輝度の高い点が現れるようにしているが、照射される光の照射形状は、ガスバーナ４の中心位置を示す輝度の高い部分が現れる形状であれば特に限定されるものではなく、例えば、星形や十字型であっても良い。
【００６９】
〔２〕上記第３実施形態では、ＬＥＤ照射装置３５から円環状のＬＥＤ光Ｌ３を照射し、トッププレート３上面に、環径が調理容器Ｔの直径と略同じ円環が現れるようにしているが、これに限られるものではなく、環形が調理容器Ｔの直径よりも小さい又は大きい円環が現れるようにしても良い。また、ＬＥＤ照射装置３５から照射する光は、調理容器Ｔの平面形状に応じて適宜変更すればよく、例えば、調理容器Ｔの平面形状が長方形の環である場合には、トッププレート３上面に調理容器Ｔの平面形状と略同じ大きさの長方形の環が現れるようにすれば良い。
【００７０】
〔３〕上記第１，第２及び第４〜第６実施形態では、ＬＥＤ照射装置２０，３０，５５又はＬＥＤ照射部４５，５０から照射される光によって、ガスバーナ４の中心位置に他の部分よりも輝度の高い点が現れるようにし、第３実施形態では、ＬＥＤ照射装置３５から照射される光によって、ガスバーナ４の中心位置を中心とする、他の部分よりも輝度の高い円環がトッププレート３上面に現れるようにしているが、ガスバーナ４の中心位置近傍に他の部分よりも輝度の高い点が現れる、或いは、ガスバーナ４の中心位置近傍の所定点を中心とする、他の部分よりも輝度の高い環がトッププレート３上面に現れるようにしても良い。
尚、調理容器Ｔを加熱する際、調理容器Ｔの重心位置Ｔｇとガスバーナ４の中心位置とが一致していない場合であっても、調理容器Ｔの重心位置Ｔｇとガスバーナ４の中心位置とが近いほど、調理容器Ｔを均一に加熱することができるという観点からすれば、ＬＥＤ照射装置から照射される光によって、ガスバーナ４の中心位置に他の部分よりも輝度の高い点が現れる、或いは、ガスバーナ４の中心位置を中心とする、他の部分よりも輝度の高い円環がトッププレート３上面に現れるようにすることが好ましい。
【００７１】
〔４〕上記第１及び第３実施形態では、整流板１２におけるガスバーナ４の中心位置の真上に位置する箇所にＬＥＤ照射装置２０，３５を取り付けるようにしているが、特に限定されるものではない。また、第４〜第６実施形態では、整流板１２又は天井におけるガスバーナ４の中心位置の真上に位置する箇所に反射部材４０を取り付けるようにしているが、特に限定されるものではない。
例えば、ハウジング１１の下面周縁部にＬＥＤ照射装置を埋め込むようにしても良いし、整流板１２における、ガスバーナ４の中心位置の真上に位置する箇所以外にＬＥＤ照射装置を取り付けるようにしても良い。また、整流板１２又は天井におけるガスバーナ４の中心位置の眞腕に位置する箇所以外に反射部材４０を取り付けるようにしても良い。
尚、調理容器Ｔが底の深い容器である場合、ＬＥＤ照射装置又は反射部材の取付位置がガスバーナ４の中心位置の真上に位置する箇所からずれるほど、ＬＥＤ照射装置から照射されたＬＥＤ光又は反射部材で反射されたＬＥＤ光が調理容器Ｔの周壁に遮られて、調理容器Ｔの底やトッププレート３上面に、ＬＥＤ光が照射され難くなり、利用者による調理容器Ｔの位置調整が難しくなる。したがって、ＬＥＤ照射装置又は反射部材は、ガスバーナ４の中心位置の真上に位置する箇所に取り付けられていることが好ましい。
【００７２】
〔５〕上記第２実施形態では、家屋の内壁ＫにＬＥＤ照射装置３０を取り付けるようにしているが、例えば、トッププレート３上に油はね（水はね）防止用の所謂レンジガードが設けられる場合には、このレンジガードにＬＥＤ照射装置３０を着脱自在に取り付けるようにしても良い。また、第６実施形態では、家屋の天井に反射部材４０を取り付けるようにしているが、反射部材４０の取付位置は、適宜変更することができる。
【００７３】
〔６〕上記第４実施形態ではＬＥＤ照射部４５をハウジング１１の前方側内壁に内蔵するようにしているが、ハウジング１１の側方側内壁に内蔵するようにしても良いし、内蔵するものだけに限られず、第１実施形態におけるＬＥＤ照射装置２０のような着脱自在なＬＥＤ照射装置をハウジング１１の所定の箇所に適宜取り付けるようにしても良い。
【００７４】
〔７〕第５実施形態では、前方側斜め上方に向けて２方向にＬＥＤ光Ｌ５を照射可能なＬＥＤ照射部５０をトッププレート３の後部に内蔵するようにしているが、ＬＥＤ照射部５０は、１方向にのみＬＥＤ光を照射可能なものであっても良いし、トッププレート３の他の適当な位置に内蔵されていても良い。
【００７５】
〔８〕上記各実施形態において、ＬＥＤ照射装置２０，３０，３５，５５及びＬＥＤ照射部４５，５０は、バーナ点火信号又は照明点灯信号を受信したときにＬＥＤ光Ｌ１，Ｌ２，Ｌ３，Ｌ４，Ｌ５，Ｌ６の照射を開始し、バーナ消火信号又は照明消灯信号を受信したときにＬＥＤ光Ｌ１，Ｌ２，Ｌ３，Ｌ４，Ｌ５，Ｌ６の照射を停止するように構成されているが、これに限られるものではない。ガスバーナ４の点火及び消火、或いは、照明ランプ１４の点灯及び消灯のいずれか一方のみと連動するようにしても良いし、ＬＥＤ照射装置又はＬＥＤ照射部に照射の開始及び停止を行うための適宜スイッチを別途設け、バーナの点火及び消灯並びに照明の点灯及び消灯とは無関係に、スイッチの切換によってＬＥＤ光の照射の開始及び停止を行うことができるようにしても良い。また、ＬＥＤ照射装置２０，３０，３５，５５及びＬＥＤ照射部４５，５０にバーナ点火信号又はバーナ消火信号、或いは、照明点灯信号又は照明消灯信号が送信される態様は、無線通信に限られるものではなく、有線通信であっても良い。
【００７６】
〔９〕上記各実施形態では、コンロの一つの形態として、コンロがガスコンロである場合を例にとって説明したが、コンロはＩＨコンロであっても良い。
【００７７】
〔１０〕上記各実施形態では、ガスバーナ４の加熱正規位置を示す光をＬＥＤを用いて照射するようにしているが、指向性の高い光であれば特に限定されるものではなく、レーザー等を用いるようにしても良い。
【００７８】
〔１１〕上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００７９】
本発明は、コンロの加熱部における加熱正規位置を利用者に示すことができ、利用者が調理容器を加熱部上の適切な位置に配置することができるようになる調理支援システムに利用できる。
【符号の説明】
【００８０】
４    ガスバーナ
１０  レンジフード
１２  整流板
１４  照明ライト
２０，３０，３５，５５  ＬＥＤ照射装置
４０  反射部材
４５，５０  ＬＥＤ照射部
Ｌ１，Ｌ２，Ｌ３，Ｌ４，Ｌ５，Ｌ６  ＬＥＤ光
ＧＣ  ガスコンロ
Ｔ    調理容器
【図１】
2020056526.tif 000003
【図２】
2020056526.tif 000004
【図３】
2020056526.tif 000005
【図４】
2020056526.tif 000006
【図５】
2020056526.tif 000007
【図６】
2020056526.tif 000008
【図７】
2020056526.tif 000009
【図８】
2020056526.tif 000010
【図９】
2020056526.tif 000011
【図１０】
2020056526.tif 000012
【図１１】
2020056526.tif 000013
【図１２】
2020056526.tif 000014